(57)【要約】【課題】ケーブル類の収納や点検が容易でその優れた作業性を発揮でき、直線移動時と屈曲移動時のいずれにおいても強固なねじれ剛性でケーブル収納空間の形態安定性を十分に確保して円滑な直線移動と屈曲移動を達成できるとともに横ズレによる偏摩耗や局所摩耗を抑制して長期に亙って耐久性を発揮できるケーブル類保護案内装置を提供すること。【解決手段】左右一対の側壁形成部分１１０、１１０と内周壁形成部分１２０と一方の側壁形成部分１１０の屈曲外周側に形成されて他方の側壁形成部分１１０の屈曲外周側に着脱自在に係合する開閉式外周壁形成部分１３０とで囲繞された矩形チューブ状のケーブル収納空間Ｒ内にケーブル類Ｃを収納するとともに、左右一対の側壁形成部分１１０、１１０の屈曲内周側に形成された屈曲規制片形成部分１４０で屈曲角度αを規制して直線移動と屈曲移動とを繰り返す合成樹脂製のケーブル類保護案内装置１００。【選択図】図１
2008057759.tif 000002
【特許請求の範囲】
【請求項１】
左右一対の側壁形成部分と該左右一対の側壁形成部分を相互に連結する内周壁形成部分と前記一方の側壁形成部分の屈曲外周側に一体に形成されて他方の側壁形成部分の屈曲外周側に着脱自在に係合する開閉式外周壁形成部分とで囲繞された矩形チューブ状のケーブル収納空間内にケーブル類をチューブ長手方向に沿って収納するとともに、前記左右一対の側壁形成部分の屈曲内周側に一体に形成された屈曲規制片形成部分で屈曲角度を規制して直線移動と屈曲移動とを繰り返すように、チューブ長手方向に沿って少なくとも押し出し成形加工された合成樹脂製のケーブル類保護案内装置において、
前記開閉式外周壁形成部分と左右一対の側壁形成部分とを屈曲移動時にチューブ長手方向の所定屈曲ピッチで相互に分離して拡開する分割スリットが、前記開閉式外周壁形成部分と左右一対の側壁形成部分に前記押し出し成形加工後のパンチング加工により配置されているとともに、
前記開閉式外周壁形成部分の分割スリットを介した前後位置に直線移動時の横ズレを規制する凹凸係合機構が、前記押し出し成形加工後のパンチング加工により設けられていることを特徴とするケーブル類保護案内装置。
【請求項２】
前記屈曲規制片形成部分が、前記押し出し成形加工後のパンチング加工によりチューブ長手方向に沿って分割スリット毎の所定屈曲ピッチで設けられていることを特徴とする請求項１記載のケーブル類保護案内装置。
【請求項３】
前記一方の側壁形成部分に形成された開閉式外周壁形成部分と他方の側壁形成部分との相互間に、チューブ長手方向に沿って着脱自在に係合させる差し込み突起機構が、前記押し出し成形加工後のパンチング加工により所望の差し込み間隔で設けられていることを特徴とする請求項１または請求項２記載のケーブル類保護案内装置。
【請求項４】
前記ケーブル収納空間内へ貫通する開口窓が、前記押し出し成形加工後のパンチング加工により前記分割スリットの両端に設けられていることを特徴とする請求項１乃至請求項３のいずれかに記載のケーブル類保護案内装置。
【請求項５】
前記合成樹脂が、ポリプロピレンであることを特徴とする請求項１乃至請求項４のいずれかに記載のケーブル類保護案内装置。
【発明の詳細な説明】
【技術分野】
【０００１】
本発明は、ケーブル類保護案内装置に係り、更に詳しくは、例えば、半導体製造装置、創薬試験装置、車両用ドア開閉装置、車両用スライドシート、車両用電動サンルーフなどの可動部材に電力や圧縮空気のエネルギーを供給するケーブルやホース等の比較的軽量且つ小径のケーブル類を収容すると共に、可動部材の移動中においてもケーブル類を安全にかつ確実に案内保護するのに好適なケーブル類保護案内装置に関するものである。
【背景技術】
【０００２】
従来のケーブル類保護案内装置として、ケーブル類を収納する収容体の底壁に少なくとも１列の突状片を一体成形し、収容体の屈曲部でそれらの分割された突状片同士を当接させて一定の屈曲姿勢が保持されるように設け、かつ、収容体の一方の側壁片の上端部に蓋片を開閉自在に一体成形し、該蓋片を他方の側壁片に着脱自在に設けたケーブル類の移動案内装置（例えば、特許文献１参照）が知られている。
また、従来のケーブル類保護案内装置として、支持壁範囲、カバー範囲及び側壁範囲を有するライン収容通路を備えたライン案内装置（例えば、特許文献２参照）が知られている。
【特許文献１】特開平１０−２８３１０号公報（第１頁、図２）
【特許文献２】特表２００２−５２４０１１号公報（第１頁、図１）
【発明の開示】
【発明が解決しようとする課題】
【０００３】
ところが、特許文献１に記載されたケーブル類の移動案内装置では、外力によるねじれが作用すると、側壁片及び蓋片が相互に接触ずれを生じ易くなってケーブル類の移動案内に支障を来すという問題があり、また、このようなねじりに対する変形防止機構が組み込まれていないため、材料自身の剛性や肉厚に大きく左右されるという問題があった。
また、特許文献２に記載されたライン案内装置では、ライン収容通路を開閉することができないため、ケーブルやホース等のケーブル類を収納したり、ケーブル類の収納状態などを点検したりする手間が非常に厄介となるなど、その取り扱いが極めて困難であるという問題があった。
【０００４】
そこで、本発明は、上述したような課題を解決するものであって、すなわち、本発明の目的は、ケーブル類の収納や点検が容易でその優れた作業性を発揮でき、直線移動時と屈曲移動時のいずれにおいても強固なねじれ剛性でケーブル収納空間の形態安定性を十分に確保して円滑な直線移動と屈曲移動を達成できるとともに横ズレによる偏摩耗や局所摩耗を抑制して長期に亙って耐久性を発揮できるケーブル類保護案内装置を提供することである。
【課題を解決するための手段】
【０００５】
まず、本請求項１に係る発明は、左右一対の側壁形成部分と該左右一対の側壁形成部分を相互に連結する内周壁形成部分と前記一方の側壁形成部分の屈曲外周側に一体に形成されて他方の側壁形成部分の屈曲外周側に着脱自在に係合する開閉式外周壁形成部分とで囲繞された矩形チューブ状のケーブル収納空間内にケーブル類をチューブ長手方向に沿って収納するとともに、前記左右一対の側壁形成部分の屈曲内周側に一体に形成された屈曲規制片形成部分で屈曲角度を規制して直線移動と屈曲移動とを繰り返すように、チューブ長手方向に沿って少なくとも押し出し成形加工された合成樹脂製のケーブル類保護案内装置において、前記開閉式外周壁形成部分と左右一対の側壁形成部分とを屈曲移動時にチューブ長手方向の所定屈曲ピッチで相互に分離して拡開する分割スリットが、前記開閉式外周壁形成部分と左右一対の側壁形成部分に前記押し出し成形加工後のパンチング加工により配置されているとともに、前記開閉式外周壁形成部分の分割スリットを介した前後位置に直線移動時の横ズレを規制する凹凸係合機構が、前記押し出し成形加工後のパンチング加工により設けられていることによって、上記目的を達成するものである。
【０００６】
そして、本請求項２に係る発明のケーブル類保護案内装置は、請求項１記載の構成に加えて、前記屈曲規制片形成部分が押し出し成形加工後のパンチング加工によりチューブ長手方向に沿って分割スリット毎の所定屈曲ピッチで設けられていることにより、上記目的をさらに達成するものである。
【０００７】
本請求項３に係る発明のケーブル類保護案内装置は、請求項１または請求項２記載の構成に加えて、前記一方の側壁形成部分に形成された開閉式外周壁形成部分と他方の側壁形成部分との相互間に、チューブ長手方向に沿って着脱自在に係合させる差し込み突起機構が、押し出し成形加工後のパンチング加工により所望の差し込み間隔で設けられていることにより、上記目的をさらに達成するものである。
【０００８】
本請求項４に係る発明のケーブル類保護案内装置は、請求項１乃至請求項３のいずれか記載の構成に加えて、前記ケーブル収納空間内へ貫通する開口窓が前記押し出し成形加工後のパンチング加工により分割スリットの両端に設けられていることにより、上記目的をさらに達成するものである。
【０００９】
本請求項５に係る発明のケーブル類保護案内装置は、請求項１乃至請求項４のいずれか記載の構成に加えて、前記合成樹脂がポリプロピレンであることにより、上記目的をさらに達成するものである。
【発明の効果】
【００１０】
まず、本請求項１に係る発明のケーブル類保護案内装置によれば、左右一対の側壁形成部分とこれらの左右一対の側壁形成部分を相互に連結する内周壁形成部分と前記一方の側壁形成部分の屈曲外周側に一体に形成されて他方の側壁形成部分の屈曲外周側に着脱自在に係合する開閉式外周壁形成部分とで囲繞された矩形チューブ状のケーブル収納空間内にケーブル類をチューブ長手方向に沿って収納するとともに、左右一対の側壁形成部分の屈曲内周側に一体に形成された屈曲規制片形成部分で屈曲角度を規制して直線移動と屈曲移動とを繰り返すようにチューブ長手方向に沿って少なくとも押し出し成形加工されていることにより、矩形チューブ状のケーブル収納空間が開閉式外周壁形成部分によって開閉自在に形成されているため、ケーブル収納空間へのケーブル類の収納やケーブル収納空間内に収納されているケーブル類の点検が容易でその優れた作業性を発揮できる。
【００１１】
そして、ケーブル類保護案内装置が押し出し成形加工されていることにより、ケーブル収納空間を形成する左右一対の側壁形成部分と内周壁形成部分と開閉式外周壁形成部分とが一体の単一部品で構成されるため、部品組み立て負担を軽減できるばかりでなく、ケーブル収納空間内に収納しようとするケーブル類が長尺体であっても、押し出し成形加工された矩形チューブ状のものをこの長尺体の長さに応じて連続する一体物として裁断加工することにより、収納しようとするケーブル類に見合う最適長さのケーブル収納空間を簡便に提供できるため、従来の保護案内チェーンのような多数のリンクプレートを収納しようとするケーブル類に見合う長さに連結するための多大な組み立て製造負担を回避できる。
【００１２】
また、前記開閉式外周壁形成部分と左右一対の側壁形成部分とを屈曲移動時にチューブ長手方向の所定屈曲ピッチで相互に分離して拡開する分割スリットが開閉式外周壁形成部分と左右一対の側壁形成部分に前記押し出し成形加工後のパンチング加工により配置されていることにより、直線移動時と屈曲移動時のいずれにおいても円滑な直線移動と屈曲移動を達成できるとともに、その加工負担もパンチング加工により簡便に達成できる。
【００１３】
加えて、前記開閉式外周壁形成部分の分割スリットを介した前後位置に直線移動時の横ズレを規制する凹凸係合機構が押し出し成形加工後のパンチング加工により設けられていることにより、凹凸係合機構が横ズレを規制して直線移動時と屈曲移動時のいずれにおいても強固なねじれ剛性でケーブル収納空間の形態安定性を十分に確保できるとともに横ズレによる偏摩耗や局所摩耗を抑制して長期に亙って耐久性を発揮できるとともに、その凹凸係合機構もパンチング加工により簡便に加工できる。
【００１４】
本請求項２に係る発明のケーブル類保護案内装置は、請求項１記載の発明が奏する効果に加えて、屈曲規制片形成部分が押し出し成形加工後のパンチング加工によりチューブ長手方向に沿って分割スリット毎の所定屈曲ピッチで設けられていることによって、屈曲移動時の屈曲規制片形成部分が分割スリットの拡開動作に伴って相互に近接し合って当接し、チューブ長手方向に沿って隣り合う屈曲規制片形成部分の相互間で所定の屈曲角度に屈曲規制するため、屈曲移動時における過度の屈曲を回避してケーブル収納空間の形態安定性を十分に確保しながら円滑な屈曲移動を達成できる。
【００１５】
そして、本請求項３に係る発明のケーブル類保護案内装置は、請求項１または請求項２記載の発明が奏する効果に加えて、一方の側壁形成部分に形成された開閉式外周壁形成部分と他方の側壁形成部分との相互間にチューブ長手方向に沿って着脱自在に係合させる差し込み突起機構が押し出し成形加工後のパンチング加工により所望の差し込み間隔で設けられていることによって、矩形チューブ状のケーブル収納空間を開閉式外周壁形成部分によって開閉する際に必要となる組みつけ分解のための作業負担をこのような差し込みの着脱動作のみで簡便に達成できるとともに、パンチング加工のパンチング形態が適宜選択可能となるため、差し込み突起機構の差し込み突起形態を使い勝手に応じて簡便に各種変更でき、また、左右一対の内周壁形成部分に生じがちな相互離反に起因する矩形断面状のケーブル収納空間の歪みを抑制して直線移動時と屈曲移動時のいずれにおいてもケーブル収納空間の形態安定性を確保できる。
【００１６】
そして、本請求項４に係る発明のケーブル類保護案内装置は、請求項１乃至請求項３のいずれか記載の発明が奏する効果に加えて、前記ケーブル収納空間内へ貫通する開口窓が前記押し出し成形加工後のパンチング加工により分割スリットの両端に設けられていることにより、直線移動時と屈曲移動時にケーブル類の内部移動によって生じがちなケーブル収納空間の歪み変形を吸収して優れた保形性を確保できるとともに軽量化に寄与し、開口窓を介してケーブル収納空間内におけるケーブル類の収容状態などを適宜観察できる。
【００１７】
さらに、本請求項５に係る発明の折り曲げ組み立て式ケーブル類保護案内装置は、請求項１乃至請求項４のいずれか記載の効果に加えて、前記合成樹脂がポリプロピレンであることにより、押し出し成形加工やパンチング加工が施し易く、ケーブル収納空間の形態安定性が十分に発揮できる。
【発明を実施するための最良の形態】
【００１８】
本発明のケーブル類保護案内装置は、開閉式外周壁形成部分と左右一対の側壁形成部分とを屈曲移動時にチューブ長手方向の所定屈曲ピッチで相互に分離して拡開する分割スリットが、開閉式外周壁形成部分と左右一対の側壁形成部分に押し出し成形加工後のパンチング加工により配置されているとともに、開閉式外周壁形成部分の分割スリットを介した前後位置に直線移動時の横ズレを規制する凹凸係合機構が、押し出し成形加工後のパンチング加工により設けられ、ケーブル類の収納や点検が容易でその優れた作業性を発揮して、直線移動時と屈曲移動時のいずれにおいても強固なねじれ剛性でケーブル収納空間の形態安定性を十分に確保して円滑な直線移動と屈曲移動を達成するとともに横ズレによる偏摩耗や局所摩耗を抑制して長期に亙って耐久性を発揮するものであれば、その具体的な実施の態様は如何なるものであっても何ら構わない。
【００１９】
まず、本発明のケーブル類保護案内装置の素材については、屈曲動作時に発生しがちな屈曲歪みを耐えてケーブル保持形態の優れた寸法安定性を発揮するとともに成形加工が容易なポリプロピレン、ポリエチレン、ポリエステルなどの合成樹脂であっても差し支えなく、特に、ポリプロピレンを採用した場合には、押し出し成形加工やパンチング加工が施し易く、ケーブル収納空間の形態安定性を十分に発揮できるので、より好ましい。
【００２０】
そして、本発明のケーブル類保護案内装置における凹凸係合機構の具体的な形態については、直線移動時に分割スリットを介した前後位置における外周壁形成部分の横ズレを規制して蛇行移動を回避できる形態であれば良く、例えば、三角舌片状凸部とこの三角舌片状凸部に係合するＶ字状凹部とで構成されるか、台形舌片状凸部とこの台形舌片状凸部に係合する逆台形状凹部とで構成されるか、あるいは、これら以外の凹凸係合部で構成されても良い。
【００２１】
また、本発明のケーブル類保護案内装置における差し込み突起機構の具体的な形態については、一方の側壁形成部分に形成された開閉式外周壁形成部分と他方の側壁形成部分との相互間でチューブ長手方向に沿って着脱自在に係合できる形態であれば良く、その形状、配置間隔などは適宜選択しても何ら構わない。
【実施例】
【００２２】
以下、本発明の一実施例であるケーブル類保護案内装置１００を図１乃至図４を用いて説明する。
ここで、図１は、本発明の一実施例であるケーブル類保護案内装置の全体図であり、図２は、図１の直線状態を拡大した斜視図であり、図３は、図１の屈曲状態を拡大した斜視図であり、図４は、開閉式外周壁形成部分を開放した状態の斜視図である。
【００２３】
本実施例であるケーブル類保護案内装置１００は、例えば、半導体製造装置、創薬試験装置、車両用ドア開閉装置、車両用スライドシート、車両用電動サンルーフなどの可動部と静止部とを接続し、電気信号の伝達や供給を行う電気ケーブルや圧力液体や圧力気体を供給するホースのようなケーブル類Ｃを保護案内するために使用され、可動部と静止部（図示しない）との間の相対的な遠隔移動状況に応じて直線姿勢、あるいは、屈曲姿勢を呈するものであって、図１乃至図３に示すように、左右一対の側壁形成部分１１０、１１０とこれらの左右一対の側壁形成部分１１０、１１０を相互に連結する内周壁形成部分１２０と前記一方の側壁形成部分１１０の屈曲外周側に一体に形成されて他方の側壁形成部分１１０の屈曲外周側に着脱自在に係合する開閉式外周壁形成部分１３０とで囲繞された矩形チューブ状のケーブル収納空間Ｒを構成するように、押し出し成形加工とパンチング加工とを用いて成形されている。
【００２４】
すなわち、本実施例のケーブル類保護案内装置１００は、押し出し成形加工によってケーブル収納空間Ｒを形成する左右一対の側壁形成部分１１０，１１０と内周壁形成部分１２０と開閉式外周壁形成部分１３０とを一体の単一部品として構成するように、収納しようとするケーブル類Ｃに見合う最適長さに裁断加工している。
【００２５】
なお、本実施例におけるケーブル類保護案内装置１００の素材については、製造時に押し出し成形加工やパンチング加工が施し易く、ケーブル収納空間Ｒの形態安定性を十分に発揮するポリプロピレンを採用している。
【００２６】
また、本実施例のケーブル類保護案内装置１００は、図３に示すように、左右一対の側壁形成部分１１０、１１０の屈曲内周側に屈曲規制片形成部分１４０が、一定の屈曲角度αで屈曲動作できるように、押し出し成形加工後のパンチング加工によりチューブ長手方向に沿って分割スリットＳ毎の所定屈曲ピッチで一体に設けられている。
したがって、この屈曲規制片形成部分１４０は、屈曲移動時に分割スリットＳの拡開動作に伴って相互に近接し合って当接し、チューブ長手方向に沿って隣り合う屈曲規制片形成部分１４０、１４０の相互間で所定の屈曲角度αに屈曲規制されるため、屈曲移動時における過度の屈曲を回避してケーブル収納空間Ｒの形態安定性を十分に確保しながら円滑な屈曲移動を達成するようになっている。
【００２７】
そして、前記開閉式外周壁形成部分１３０と左右一対の側壁形成部分１１０、１１０とを屈曲移動時にチューブ長手方向の所定屈曲ピッチで相互に分離して拡開する分割スリットＳが、開閉式外周壁形成部分１３０と左右一対の側壁形成部分１１０、１１０に前述した押し出し成形加工後のパンチング加工により配置され、この分割スリットＳが直線移動時と屈曲移動時のいずれにおいても円滑な直線移動と屈曲移動を達成するようになっている。
【００２８】
また、前述した開閉式外周壁形成部分１３０の分割スリットＳを介した前後位置には、直線移動時の横ズレを規制する凹凸係合機構Ｍが押し出し成形加工後のパンチング加工により設けられている。
すなわち、図１乃至図４に示すように、台形舌片状凸部１３１とこの台形舌片状凸部１３１に係合する逆台形状凹部１３２とで構成される凹凸係合機構Ｍが、横ズレを規制して直線移動時と屈曲移動時のいずれにおいても強固なねじれ剛性でケーブル収納空間Ｒの形態安定性を十分に確保するとともに横ズレによる偏摩耗や局所摩耗を抑制して長期に亙って耐久性を発揮するようになっている。
【００２９】
そして、一方の側壁形成部分１１０に形成された開閉式外周壁形成部分１３０と他方の側壁形成部分１１０との相互間には、チューブ長手方向に沿って着脱自在に係合させる差し込み突起機構Ｎが押し出し成形加工後のパンチング加工により所望の差し込み間隔で設けられている。
すなわち、開閉式外周壁形成部分１３０に形成した差し込み突起１３３とこの差し込み突起１３３を差し込む側壁形成部分１１０に形成した差し込み穴１１１とで構成される差し込み突起機構Ｎによって、矩形チューブ状のケーブル収納空間Ｒを開閉自在にするとともに直線移動時と屈曲移動時のいずれにおいてもケーブル収納空間Ｒの形態安定性を確保するようになっている。
【００３０】
そして、ケーブル収納空間Ｒ内へ貫通する開口窓１１２が押し出し成形加工後のパンチング加工により分割スリットＳの両端に設けられ、直線移動時と屈曲移動時にケーブル類Ｃの内部移動によって生じがちなケーブル収納空間Ｒの歪み変形を吸収して優れた保形性を確保するとともに軽量化に寄与し、また、この開口窓１１２を介してケーブル収納空間Ｒ内におけるケーブル類Ｃの収容状態などを適宜観察できるようになっている。
【００３１】
このようにして得られた本実施例のケーブル類保護案内装置１００は、開閉式外周壁形成部分１３０と左右一対の側壁形成部分１１０、１１０とを屈曲移動時にチューブ長手方向の所定屈曲ピッチで相互に分離して拡開する分割スリットＳが、開閉式外周壁形成部分１３０と左右一対の側壁形成部分１１０，１１０に押し出し成形加工後のパンチング加工により配置されているとともに、開閉式外周壁形成部分１３０の分割スリットＳを介した前後位置に直線移動時の横ズレを規制する凹凸係合機構Ｍが、押し出し成形加工後のパンチング加工により設けられているため、ケーブル類Ｃの収納や点検が容易でその優れた作業性を発揮して、直線移動時と屈曲移動時のいずれにおいても強固なねじれ剛性でケーブル収納空間Ｒの形態安定性を十分に確保して円滑な直線移動と屈曲移動を達成できるとともに横ズレによる偏摩耗や局所摩耗を抑制して長期に亙って耐久性を発揮でき、しかも、一方の側壁形成部分１１０に形成された開閉式外周壁形成部分１３０と他方の側壁形成部分１１０との相互間に差し込み突起機構Ｎが押し出し成形加工後のパンチング加工により所望の差し込み間隔で設けられているため、矩形チューブ状のケーブル収納空間Ｒを開閉可能となり、直線移動時と屈曲移動時のいずれにおいてもケーブル収納空間Ｒの形態安定性を確保できるなど、その効果は甚大である。
【図面の簡単な説明】
【００３２】
【図１】本発明の一実施例であるケーブル類保護案内装置の全体図。
【図２】図１の直線状態を拡大した斜視図。
【図３】図１の屈曲状態を拡大した斜視図。
【図４】開閉式外周壁形成部分を開放した状態の斜視図。
【符号の説明】
【００３３】
１００  ・・・ケーブル類保護案内装置
１１０  ・・・側壁形成部分
１１１  ・・・差し込み穴
１１２  ・・・開口窓
１２０  ・・・内周壁形成部分
１３０  ・・・開閉式外周壁形成部分
１３１  ・・・台形舌片状凸部
１３２  ・・・逆台形状凹部
１３３  ・・・差し込み突起
１４０  ・・・屈曲規制片形成部分
Ｃ    ・・・ケーブル類
Ｒ    ・・・ケーブル収納空間
α    ・・・屈曲角度
Ｓ    ・・・分割スリット
Ｍ    ・・・凹凸係合機構
Ｎ    ・・・差し込み突起機構
【図１】
2008057759.tif 000003
【図２】
2008057759.tif 000004
【図３】
2008057759.tif 000005
【図４】
2008057759.tif 000006